(57)【要約】【課題】異なる給水流量を生じさせる貯水タンクが便器本体に取付けられた場合であっても便器洗浄のための適切な給水流量の洗浄水をボウル部へ供給することができる水洗大便器を提供する。【解決手段】本発明の水洗大便器１は、洗浄水を貯水する貯水タンク６と、ボウル形状の汚物受け面１６と、上縁部に形成されその内周面がオーバーハング形状又は略鉛直方向に立ち上がるように形成されたリム部１８と、を備えたボウル部１２と、このボウル部１２の下方の排水路１４と、リム部の内周面に旋回流を形成するリム吐水部２６と、貯水タンクに貯水された洗浄水をリム吐水口へ導く導水路と、を備えた便器本体と、を有し、導水路２３に、貯水タンク６の給水流量が大きいほど導水路２３の通水断面積が小さくなるように調節可能な絞り部材３０が設けられ、この絞り部材３０は、便器本体とは別部材で形成されていることを特徴とする。【選択図】図４
2015113633.tif 000002
【特許請求の範囲】
【請求項１】
便器を洗浄して汚物を排出する水洗大便器であって、
洗浄水を貯水する貯水タンクと、
ボウル形状の汚物受け面と、上縁部に形成されその内周面がオーバーハング形状又は略鉛直方向に立ち上がるように形成されたリム部と、を備えたボウル部と、このボウル部の下方にその入口が接続され汚物を排出する排水路と、上記リム部の内周面に洗浄水を吐水して旋回流を形成するリム吐水部と、上記貯水タンクに貯水された洗浄水を上記リム吐水部へ導く導水路と、を備えた便器本体と、を有し、
上記導水路に、上記貯水タンクの給水流量が大きいほど導水路の通水断面積が小さくなるように調節可能な絞り部材が設けられ、この絞り部材は、上記便器本体とは別部材で形成されていることを特徴とする水洗大便器。
【請求項２】
上記便器本体は、上記ボウル部の汚物受け面の側方部分に開口するゼット吐水口から洗浄水を吐水するゼット吐水部を備え、上記導水路は、上記便器本体の上記ゼット吐水部まで延びるように分岐され、
上記導水路の上流側には、上記ゼット吐水部のゼット吐水口の断面積と上記リム吐水部の出口の断面積との合計よりも小さい通水断面積を有する縮径部が形成され、
上記絞り部材は、脱着可能に上記縮径部に取付けられ、この絞り部材を取り替えることにより、上記縮径部の通水断面積を変更できる請求項１に記載の水洗大便器。
【請求項３】
上記導水路の上流側には、上記リム吐水部の出口の合計断面積よりも小さい通水断面積を有する縮径部が形成され、
上記絞り部材は、脱着可能に上記縮径部に取付けられ、この絞り部材を取り替えることにより、上記縮径部の通水断面積を変更できる請求項１に記載の水洗大便器。
【請求項４】
上記絞り部材は、洗浄水の流れ方向に所定距離の長さにわたって延びる流路を形成し、通水断面積が上流端から下流端に向かって徐々に減少するように縮径されている請求項２又は３に記載の水洗大便器。
【請求項５】
上記絞り部材の上流端の通水断面積は、上記絞り部材の上流側に接続される給水接続管の通水断面積とほぼ同一であり、且つ上記絞り部材の上流端における流路断面形状と上記給水接続管における流路断面形状とがほぼ同一断面形状に形成され、上記絞り部材の中心軸線と上記給水接続管の接続部分の中心軸線とはほぼ同軸上に配置されている請求項２乃至４の何れか１項に記載の水洗大便器。
【請求項６】
絞り部材が便器本体の縮径部に取付けられた状態において、上記絞り部材の外側向き外周面と上記便器本体の上記縮径部の内側向き内周面との間には所定間隔の隙間が形成されている請求項２乃至５の何れか１項に記載の水洗大便器。
【請求項７】
上記絞り部材は、外周面において、その円周上に所定間隔で設けられた複数の突起を備え、この突起の頂部には、内側から外側に向けて下り傾斜するテーパー面が形成され、このテーパー面が上記便器本体の上記縮径部と当接するようになっている請求項６に記載の水洗大便器。
【請求項８】
上記絞り部材は、縮径部の下流側に掛かる爪部を備えている請求項２乃至７の何れか１項に記載の水洗大便器。
【請求項９】
便器を洗浄して汚物を排出する水洗大便器であって、
洗浄水を貯水する貯水タンクと、
ボウル形状の汚物受け面と、上縁部に形成されその内周面がオーバーハング形状又は略鉛直方向に立ち上がるように形成されたリム部と、を備えたボウル部と、このボウル部の下方にその入口が接続され汚物を排出する排水路と、上記リム部の内周面に洗浄水を吐水して旋回流を形成するリム吐水部と、上記貯水タンクに貯水された洗浄水を上記リム吐水口へ導く導水路と、を備えた便器本体と、
上記導水路に、上記貯水タンクの給水流量が大きいほど導水路の通水断面積が小さくなるように調節可能な絞り部材が設けられ、この絞り部材は、上記便器本体とは別部材で形成され且つ便器本体に着脱可能であり、
上記絞り部材は、上記貯水タンクの給水流量が所定値よりも小さい場合には、取り外すことを特徴とする水洗大便器。
【発明の詳細な説明】
【技術分野】
【０００１】
本発明は、水洗大便器に係り、特に、洗浄水供給源から供給される洗浄水により便器本体を洗浄して汚物を排出する洗い落とし式等の水洗大便器に関する。
【背景技術】
【０００２】
従来から、便器を洗浄して汚物を排出する水洗大便器として、特許文献１に記載されているように、清掃性を高めるために、水洗大便器のボウル部の上縁に形成されたリム部の内周をオーバーハング形状又は略鉛直形状に形成し、貯水タンクに貯められた洗浄水をリム吐水口から水平方向に吐水して旋回流を形成するものが知られている。
一方、便器上に直接設置される貯水タンクではなく、便器とは離れた位置の壁に設置されるタイプの貯水タンクが知られている。このタイプの貯水タンクは、貯水タンクが配置される高さ位置に応じてＬＯＷタイプ（ロウタイプ）、ＭＩＤＤＬＥタイプ（ミドルタイプ）、ＨＩＧＨタイプ（ハイタイプ）の３種類があり、施工現場に応じて選択して便器に取り付けられていた。この３種類のタイプの貯水タンクは、設置される高さ位置が異なるために、便器本体までの落差が異なり、便器に供給する給水流量もそれぞれ異なっていた。
【先行技術文献】
【特許文献】
【０００３】
【特許文献１】特開２０１３−４４１７８号公報
【発明の概要】
【発明が解決しようとする課題】
【０００４】
しかしながら、上述した特許文献１に記載されているような水洗大便器においては、このような給水流量が異なる３種類の貯水タンクを適用すると、リム部の内周がオーバーハング形状又は略鉛直形状に形成されているために、給水流量が比較的大きいＨＩＧＨタイプの貯水タンクを適用した場合、リム部を旋回する洗浄水がリム部を越えて便器本体外に溢れ出すといった問題が生じる。特にリム部のうち曲率半径が小さい前方および後方側領域、及び前方側から側方側に移行する領域においてはリム部を旋回する洗浄水が溢れ出し易いという問題が生じている。
【０００５】
これに対し、ＨＩＧＨタイプの貯水タンクを適用した場合に、洗浄水が便器本体外に溢れないように、便器本体の導水路を設計変更し圧力損失を増大させ、給水流量を低減させると、ＨＩＧＨタイプの貯水タンクを適用した場合のリム部からの洗浄水の溢れを防止することができるが、この便器に給水流量が小さいＬＯＷタイプの貯水タンクを適用すると、リム部を旋回する洗浄水の給水流量が減少し、便器のボウル部を十分に洗浄することができなくなるといった問題が生じている。
この問題を解決するために、３種類のタイプの貯水タンクに対応した導水路の設計の異なる３種類の便器を用意することが考えられるが、３種類の便器を別々に用意することは、製品の品番が増えコスト高になり、近年のニーズには合致しないものとなる。
【０００６】
本発明は、上述した従来技術の問題点を解決するためになされたものであり、異なる給水流量を生じさせる貯水タンクが便器本体に取付けられた場合であっても便器洗浄のための適切な給水流量の洗浄水をボウル部へ供給することができる水洗大便器を提供することを目的としている。
【課題を解決するための手段】
【０００７】
上記の目的を達成するために、本発明は、便器を洗浄して汚物を排出する水洗大便器であって、洗浄水を貯水する貯水タンクと、ボウル形状の汚物受け面と、上縁部に形成されその内周面がオーバーハング形状又は略鉛直方向に立ち上がるように形成されたリム部と、を備えたボウル部と、このボウル部の下方にその入口が接続され汚物を排出する排水路と、リム部の内周面に洗浄水を吐水して旋回流を形成するリム吐水部と、貯水タンクに貯水された洗浄水をリム吐水部へ導く導水路と、を備えた便器本体と、を有し、導水路に、貯水タンクの給水流量が大きいほど導水路の通水断面積が小さくなるように調節可能な絞り部材が設けられ、この絞り部材は、便器本体とは別部材で形成されていることを特徴としている。
このように構成された本発明においては、貯水タンクの給水流量が大きいほど導水路の通水断面積が小さくなるように調節可能な絞り部材が導水路に設けられることにより、異なる給水流量を生じさせる貯水タンクが便器本体に取付けられた場合でも便器洗浄のための適切な給水流量の洗浄水をボウル部へ供給することができる。よって、ボウル部のリム部の内周面がオーバーハング形状又は略鉛直方向に立ち上がるように形成されている便器において、リム吐水部から吐水される洗浄水の給水流量が増大されることにより、リム部を旋回する洗浄水がリム部を越えて便器外に溢れ出すことを防止することができる。また、リム吐水部から吐水される洗浄水の給水流量が減少されることにより、リム部を旋回する洗浄水の勢いが弱くなり、ボウル部内を十分に洗浄できなくなることを防止することができる。
【０００８】
本発明において、好ましくは、便器本体は、ボウル部の汚物受け面の側方部分に開口するゼット吐水口から洗浄水を吐水するゼット吐水部を備え、導水路は、便器本体のゼット吐水部まで延びるように分岐され、導水路の上流側には、ゼット吐水部のゼット吐水口の断面積とリム吐水部の出口の断面積との合計よりも小さい通水断面積を有する縮径部が形成され、絞り部材は、脱着可能に縮径部に取付けられ、この絞り部材を取り替えることにより、縮径部の通水断面積を変更できる。
このように構成された本発明においては、導水路の上流側において、縮径部がゼット吐水部の出口の断面積と上記リム吐水部の出口の断面積との合計よりも小さい通水断面積を有するように形成されている。これにより、絞り部材を取り替えることにより、縮径部の通水断面積を変更でき、導水路内を通過する洗浄水が受ける最大の圧力損失を絞り部材で調節することができる。従って、異なる給水流量を生じさせる貯水タンクが取付けられた場合でも便器洗浄のための適切な給水流量の洗浄水をボウル部へ供給することができる。
【０００９】
本発明において、好ましくは、導水路の上流側には、リム吐水部の出口の合計断面積よりも小さい通水断面積を有する縮径部が形成され、絞り部材は、脱着可能に縮径部に取付けられ、この絞り部材を取り替えることにより、縮径部の通水断面積を変更できる。
このように構成された本発明においては、導水路の上流側において、縮径部がリム吐水部の出口の断面積よりも小さい通水断面積を有するように形成されている。これにより、絞り部材を取り替えることにより、縮径部の通水断面積を変更でき、導水路内を通過する洗浄水が受ける最大の圧力損失を絞り部材で調節することができる。従って、異なる給水流量を生じさせる貯水タンクが取付けられた場合でも便器洗浄のための適切な給水流量の洗浄水をボウル部へ供給することができる。
【００１０】
本発明において、好ましくは、絞り部材は、洗浄水の流れ方向に所定距離の長さにわたって延びる流路を形成し、通水断面積が上流端から下流端に向かって徐々に減少するように縮径されている。
このように構成された本発明においては、絞り部材が、通水断面積が上流端から下流端に向かって徐々に減少するように縮径され、絞り部材を通過する洗浄水に乱流が発生することが抑制できるため、絞り部材により洗浄水が受ける最大の圧力損失を調節し易くなる。また、絞り部材が下流端において最小通水断面積を有しているので、下流端を通過する洗浄水が受ける最大の圧力損失を絞り部材で調節することができる。従って、異なる給水流量を生じさせる貯水タンクが便器本体に取付けられた場合でも、便器洗浄のための適切な給水流量の洗浄水をボウル部へ供給することができる。
【００１１】
本発明において、好ましくは、絞り部材の上流端の通水断面積は、絞り部材の上流側に接続される給水接続管の通水断面積とほぼ同一であり、且つ絞り部材の上流端における流路断面形状と給水接続管における流路断面形状とがほぼ同一断面形状に形成され、絞り部材の中心軸線と給水接続管の接続部分の中心軸線とはほぼ同軸上に配置されている。
このように構成された本発明においては、給水接続管から絞り部材に流れ込む洗浄水の圧力損失を抑制することができ、絞り部材によって、圧力損失を調節し易くすることができ、異なる給水流量を生じさせる貯水タンクが便器本体に取付けられた場合でも、便器洗浄のための適切な給水流量の洗浄水をボウル部へ供給することができる。
【００１２】
本発明は、好ましくは、更に、絞り部材が便器本体の縮径部に取付けられた状態において、絞り部材の外側向き外周面と便器本体の縮径部の内側向き内周面との間には所定間隔の隙間が形成されている。
このように構成された本発明においては、便器本体に製造誤差が生じた場合にも、絞り部材を便器本体の縮径部に容易に取り付けることができる。
【００１３】
本発明において、好ましくは、絞り部材は、外周面において、その円周上に所定間隔で設けられた複数の突起を備え、この突起の頂部には、内側から外側に向けて下り傾斜するテーパー面が形成され、このテーパー面が便器本体の縮径部と当接するようになっている。
このように構成された本発明においては、絞り部材の外周面にはテーパー面が形成され、このテーパー面が便器本体の縮径部と当接するので、絞り部材が水圧により縮径部に押し付けられるときに、絞り部材の中心軸線を縮径部の中心軸線に位置合わせさせることができ、絞り部材の中心の位置合わせを確実に行うことができる。
【００１４】
本発明は、好ましくは、更に、絞り部材は、縮径部の下流側に掛かる爪部を備えている。
このように構成された本発明においては、絞り部材が縮径部の下流側に掛かる爪部を備えているので、便器に絞り部材を設置した状態で便器を移動させる場合、絞り部材が離脱することを防ぐことができる。
【００１５】
本発明において、好ましくは、便器を洗浄して汚物を排出する水洗大便器であって、洗浄水を貯水する貯水タンクと、ボウル形状の汚物受け面と、上縁部に形成されその内周面がオーバーハング形状又は略鉛直方向に立ち上がるように形成されたリム部と、を備えたボウル部と、このボウル部の下方にその入口が接続され汚物を排出する排水路と、リム部の内周面に洗浄水を吐水して旋回流を形成するリム吐水部と、上記貯水タンクに貯水された洗浄水を上記リム吐水口へ導く導水路と、を備えた便器本体と、を有し、導水路に、貯水タンクの給水流量が大きいほど導水路の通水断面積が小さくなるように調節可能な絞り部材が設けられ、この絞り部材は、便器本体とは別部材で形成され且つ便器本体に着脱可能であり、絞り部材は、貯水タンクの給水流量が所定値よりも小さい場合には、取り外すことを特徴とする。
このように構成された本発明においては、導水路に、貯水タンクの給水流量が大きいほど導水路の通水断面積が小さくなるように調節可能な絞り部材が設けられている場合に、絞り部材は、貯水タンクの給水流量が所定値よりも小さい場合には、取り外すことができることにより、比較的小さい給水流量を生じさせる貯水タンクが取付けられた場合でも便器洗浄のための適切な給水流量の洗浄水をボウル部へ供給することができる。よって、ボウル部のリム部の内周面がオーバーハング形状又は略鉛直方向に立ち上がるように形成されている便器において、リム吐水部から吐水される洗浄水の給水流量が減少されることにより、リム部を旋回する洗浄水の勢いが弱くなり、ボウル部内を十分に洗浄できなくなることを防止することができる。
【発明の効果】
【００１６】
本発明の水洗大便器によれば、異なる給水流量を生じさせる貯水タンクが便器本体に取付けられた場合であっても便器洗浄のための適切な給水流量の洗浄水をボウル部へ供給することができる。
【図面の簡単な説明】
【００１７】
【図１】本発明の第１実施形態による水洗大便器がＨＩＧＨタイプの貯水タンクを有している場合に、水洗大便器が壁面に設置されている状態を示す概略図である。
【図２】本発明の第１実施形態による水洗大便器を示す平面図である。
【図３】図２のIII−III線に沿って見た水洗大便器の部分側面断面図である。
【図４】図１に示す本発明の第１実施形態による水洗大便器において、導水路の一部分を示すＢ部分を拡大した部分拡大断面図である。
【図５】本発明の第１実施形態による水洗大便器の絞り部材を斜め上方から見た斜視図である。
【図６】本発明の第１実施形態による水洗大便器の絞り部材の平面図である。
【図７】図６のVII−VII線に沿って見た絞り部材の側面断面図である。
【図８】本発明の第２実施形態による水洗大便器に取付けられるＭＩＤＤＬＥタイプの貯水タンクが壁面の裏側に設置されている状態を示す概略図である。
【図９】本発明の第２実施形態による水洗大便器において、導水路の一部分を示すＢ部分を拡大した部分拡大断面図である。
【図１０】本発明の第２実施形態による水洗大便器の絞り部材を斜め上方から見た斜視図である。
【図１１】本発明の第２実施形態による水洗大便器の絞り部材の平面図である。
【図１２】図１１のXII−XII線に沿って見た絞り部材の側面断面図である。
【図１３】本発明の第３実施形態による水洗大便器に取付けられるＬＯＷタイプの貯水タンクが壁面の裏側に設置されている状態を示す概略図である。
【発明を実施するための形態】
【００１８】
次に、添付図面により、本発明の実施形態による水洗大便器を説明する。先ず、図１により、本実施形態による水洗大便器の設置状態を説明する。図１は、本発明の第１実施形態による水洗大便器がＨＩＧＨタイプの貯水タンクを有している場合に、水洗大便器が壁面に設置されている状態を示す概略図である。図１に示すように、符号１は、本実施形態による水洗大便器１を示し、この水洗大便器１は、後述する排水トラップ管路内の水位上昇による落差を利用して汚物を排出する洗い落とし式水洗大便器（ウオッシュダウン式便器）である。なお、本実施形態においては、水洗大便器は他のタイプの便器（例えば、サイホン式便器）であってもよい。
【００１９】
水洗大便器１は、陶器製の便器本体２を備え、この便器本体２は、壁４に取り付けられている。壁４の裏側には、比較的高い位置（例えば、床から全高約１１２０ｍｍの高さ位置）に洗浄水を貯水する貯水タンク（いわゆるＨＩＧＨタイプの貯水タンク）６が取り付けられ、貯水タンク６は、水道等の洗浄水供給源（図示せず）に接続されている。また、壁４の表面には、操作スイッチ８が取り付けられている。この操作スイッチ８をＯＮ操作すると、貯水タンク６内の洗浄水が便器本体２に供給され、便器本体２が洗浄されるようになっている。
また、壁４の裏側には、汚物を排出するための排水管１０が設けられ、この排水管１０により、便器本体２からの汚物を外部へ排出するようになっている。
【００２０】
本発明の第１実施形態による水洗大便器１の貯水タンク６は、壁４の裏側に配置される隠蔽タイプの貯水タンクであるが、貯水タンクが、壁の表側に配置されていてもよい。
本発明の第１実施形態による水洗大便器１においては、いわゆるＨＩＧＨタイプの貯水タンクを貯水タンク６として使用しているが、貯水タンクは、貯水タンクが配置される高さ位置に応じて、例えば、貯水タンクが床からの全体の高さが約１１２０ｍｍの高さになるような比較的高い高さ位置に配置されるＨＩＧＨタイプ、貯水タンクが床からの全体の高さが約８２０ｍｍの高さになるような比較的低い高さ位置に配置されるＬＯＷタイプ、貯水タンクが床からの全体の高さが約９８０ｍｍの高さになるような比較的高い高さ位置と比較的低い高さ位置との中間に配置されるＭＩＤＤＬＥタイプ、の３種類の異なる貯水タンクを使用することができる。これらの貯水タンクは、便器本体と共に新規に施工される場合の他、便器本体とは別に既に設置されている貯水タンクを利用することもでき、施工後に貯水タンクを取り替えて新規な貯水タンクを使用してもよい。
【００２１】
次に、図２及び図３により、本実施形態による水洗大便器１を詳細に説明する。図２は本発明の第１実施形態による水洗大便器を示す平面図であり、図３は、図２のIII−III線に沿って見た水洗大便器の部分側面断面図である。
【００２２】
図２及び図３に示すように、本発明の実施形態による水洗大便器１の便器本体２は、ボウル部１２と、このボウル部１２の底部から連通して延びる排水トラップ管路１４を有する。ボウル部１２は、汚物受け面１６と、この汚物受け面１６の上縁に形成されたリム部１８を備えている。このリム部１８は、その内周面がオーバーハング形状又は略鉛直方向に立ち上がるように形成されている。このリム部１８は、オーバーハング又は略鉛直形状のリム部であり、汚物受け面１６の上縁から上方に滑らかに立ち上がるように形成されている。さらに、ボウル部１２の汚物受け面１６は、ボウル形状の上方汚物受け面２０と、この上方汚物受け面２０と排水トラップ管路１４との間に形成された凹部２２を備えている。
【００２３】
排水トラップ管路１４は、ボウル部１２の底部に開口した入口１４ａから斜め上方に延び、最高点１４ｂを通った後、斜め下方に延びて、出口１４ｃに達し、上述した排水管１０（図１参照）に接続されている。水洗大便器１の溜水水位Ｌは、排水トラップ管路１４の最高点１４ｂの高さと等しくなる。
【００２４】
また、貯水タンク６の出口６ａから便器本体２内の入口部２４ａまで延びる給水接続管２５と接続し、便器本体２内に延びる導水路２３が形成されている。導水路２３は、便器本体２内の後部に延びる便器本体導水路２４を備えている。給水接続管２５は、貯水タンク６の出口６aから鉛直方向に下方へと延びる上流側給水接続管２５ｂと、上流側給水接続管２５ｂの出口２５ｃから便器本体２内の入口部２４ａまで延びる下流側給水接続管２５ｄとを備えている。
便器本体導水路２４は、貯水タンク６から延びる給水接続管２５の出口部２５ａに接続される入口部２４ａからボウル部１２の背面側近傍まで延びる共通導水路２４ｂと、ボウル部１２の背面側近傍において共通導水路２４ｂから分岐されるゼット導水路２４ｃと、リム導水路２４ｄとを備えている。共通導水路２４ｂには、上述した貯水タンク６から洗浄水が供給されるようになっている。
便器本体２を前方から見て、リム部１８の左側の前方領域の内周側には、リム吐水口２６が形成され、上述したリム導水路２４ｄがリム吐水口２６まで延び、洗浄水がリム吐水口２６まで供給されるようになっている。このリム吐水口２６から前方に向けて洗浄水が吐水され、ボウル部１２内において旋回流を形成するようになっている。
【００２５】
さらに、図２及び図３に示すように、ボウル部１２の汚物受け面１６の前方から見て左側（側面）のほぼ中央に位置する部分には、ゼット吐水口２８が形成されている。このゼット吐水口２８は、溜水面Ｗ０の位置よりも上方に形成されている。このゼット吐水口２８は、便器本体導水路２４の共通導水路２４ｂから分岐したゼット導水路２４ｃに接続されており、ゼット吐水口２８から吐水された洗浄水の主流が凹部２２内の溜水（溜水面Ｗ０）に向けて流れ込み、旋回するようになっている。
【００２６】
便器本体導水路２４の入口部２４ａにおいては、流水経路の径が縮小された縮径部２４ｅが形成されている。縮径部２４ｅは円形の開口部を形成し、自身の内側に円筒状の絞り部材３０を組み合わせられるようになっている。縮径部２４ｅの通水断面積（流路断面積）Ｃ１は、給水接続管２５の通水断面積よりも大きくなるように形成されているが、便器本体の導水路２３の通水断面積の中で最も小さくなるように形成されている。絞り部材３０を取り付けた場合は、給水接続管２５と導水路２３の通水断面積の中で最も小さくなるように形成されている。また、縮径部２４ｅの通水断面積Ｃ１は、ゼット吐水口２８の通水断面積Ｃ２と、リム吐水口２６の通水断面積Ｃ３との合計よりも小さくされている。従って、縮径部２４ｅの通水断面積Ｃ１又は縮径部２４ｅ内に絞り部材３０が挿入されている状態においては絞り部材３０の下流端３０ｄの通水断面積Ｃ５により、便器本体導水路２４内を流れる洗浄水の給水流量が決定されるようになっている。なお、縮径部２４ｅは、絞り部材３０が取付けられていない状態において便器本体導水路２４の入口部２４ａにおける流水経路を形成するようになっている。
また、ゼット吐水口及びゼット導水路を備えずに、リム吐水口及びリム導水路のみを備える便器の場合は、縮径部の通水断面積は、リム吐水口の通水断面積の合計よりも小さくされる。例えば、１つのリム吐水口及びリム導水路のみを備える便器の場合は、縮径部の通水断面積は、リム吐水口の通水断面積よりも小さくされ、２つのリム吐水口及びリム導水路を備える便器の場合は、縮径部の通水断面積は、２つのリム吐水口の通水断面積の合計よりも小さくされる。
【００２７】
次に、図４乃至図７により、ＨＩＧＨタイプの貯水タンク６が便器本体２に取付けられる場合において、導水路２３に取付けられる絞り部材３０について詳細に説明する。
図４は、図１に示す本発明の第１実施形態による水洗大便器において、便器本体導水路の入口のＢで示す部分を拡大した部分拡大断面図であり、図５は本発明の第１実施形態による水洗大便器の絞り部材を斜め上方から見た斜視図であり、図６は本発明の第１実施形態による水洗大便器の絞り部材の平面図であり、図７は図６のVII−VII線に沿って見た絞り部材の側面断面図である。
【００２８】
絞り部材３０は、自身を通過する洗浄水に関して、貯水タンク６の設置環境により異なる給水流量を、便器洗浄に適したほぼ一定の給水流量に調節することができる部材である。
絞り部材３０は、便器本体２とは別部材であるポリプロピレン等の樹脂材料によって形成され、上述したように給水流量の異なる貯水タンク６の種類に応じて、貯水タンク６の給水流量が大きいほど導水路２３の通水断面積が小さくなるように調節することができる部材である。この絞り部材３０は、脱着可能に縮径部２４ｅに取付けられ、この絞り部材３０を形状の異なる他の絞り部材に取り替える或いは絞り部材３０を取り外すことにより、縮径部２４ｅ近傍の通水断面積を容易に変更できる。水洗大便器１は、出荷時には、絞り部材３０が縮径部２４ｅに挿入された状態となっており、絞り部材３０を後述する本発明の第２実施形態の水洗大便器１０１に使用する絞り部材１３０と取り替えることができ、また、絞り部材３０を縮径部２４ｅから取り外して本発明の第３実施形態の水洗大便器２０１を構成することができる。
【００２９】
絞り部材３０は、縮径部２４ｅに取付けられた状態で、縮径部２４ｅよりも径の減少された円筒状の流路を形成する。この絞り部材３０は、自身の上流側において環状に形成されている基部リング部３０ａと、基部リング部３０ａから下流側に延びる圧損リング部３０ｂとを備えている。
基部リング部３０ａは、数ミリ程度の厚みを有し、縮径部２４ｅの内径Ｄ１よりも大きな外径Ｄ２に形成されている。基部リング部３０ａは、後述する爪部３０ｇが便器本体の縮径部２４ｅに係合できることにより、便器本体２の縮径部２４ｅ近傍に配置された状態で維持されている。ひだ状のパッキン３２が出口部２５ａと便器本体導水路２４の入口部２４ａとの接続部分をシールするようになっている。基部リング部３０ａは、接着剤等により出口部２５ａ及びパッキン３２と固定されておらず、出口部２５ａと縮径部２４ｅの間に配置されている。
【００３０】
圧損リング部３０ｂは、円筒形状の流路を形成し、自身の内径が便器前方に向かって徐々に減少されるように絞られている。従って、圧損リング部３０ｂは、自身の内部を通過する流体が内径の減少により圧力損失を生じるように形成されている。圧損リング部３０ｂの長さＬ２は、後述する爪部３０ｇの長さＬ２とほぼ同じ長さに形成されている。例えば長さＬ２は約２０．５ｍｍに形成される。圧損リング部３０ｂにおける下流端３０ｄにおいては、流路の内径が最も小さく形成された内径Ｄ５となり、比較的小径に形成されている。例えば内径Ｄ５は直径約３１ｍｍに形成される。
なお、圧損リング部３０ｂは、自身の長さをより長く形成することにより圧力損失を増大させることができ、また、自身の内径をより小さく形成することにより圧力損失を増大させることができる。逆に、圧損リング部３０ｂは、自身の長さをより短く形成することにより圧力損失を減少させることができ、また、自身の内径をより大きく形成することにより圧力損失を減少させることができる。このようにして貯水タンク６の給水流量が大きくなるにつれて、圧損リング部３０ｂの形状を導水路２３の通水断面積が小さくなるように形成させることができ、また、貯水タンク６の給水流量が小さくなるにつれて、圧損リング部３０ｂの形状を導水路２３の通水断面積が大きくなるように形成させることができる。
基部リング部３０ａ及び圧損リング部３０ｂは、その内側に、洗浄水の流れ方向に所定距離の長さＬ１にわたって延びる縮径流路３１を形成し、基部リング部３０ａがこの縮径流路３１の上流端３０ｃを形成し、圧損リング部３０ｂがこの縮径流路の下流端３０ｄを形成している。従って、絞り部材３０の縮径流路３１は、通水断面積が上流端３０ｃから下流端３０ｄに向かって徐々に減少するように形成されている。図４において、基部リング部３０ａの上流端３０ｃの通水断面積Ｃ４は、圧損リング部３０ｂの下流端３０ｄの通水断面積Ｃ５よりも大きくなっていることが示される。
【００３１】
この基部リング部３０ａの上流端３０ｃの通水断面積Ｃ４は、絞り部材３０の上流側に接続される給水接続管２５の出口部２５ａの通水断面積Ｃ６とほぼ同一であり、且つ基部リング部３０ａの上流端３０ｃにおける流路断面形状と給水接続管２５の出口部２５ａにおける流路断面形状とがほぼ同一断面の略円形状に形成され、絞り部材３０の中心軸線Ａ１と給水接続管２５の中心軸線Ａ２とはほぼ同一軸線上に配置されている。
また、縮径部２４ｅの内径Ｄ１は、絞り部材３０の圧損リング部の外径Ｄ３よりも大きく形成されているので、絞り部材３０が便器本体２の縮径部２４ｅに取付けられた状態において、圧損リング部３０ｂの外側向き外周面３０ｉと便器本体２の縮径部２４ｅの内側向き内周面２４ｈとの間には所定間隔の隙間Ｇが形成されている。隙間Ｇにより、絞り部材３０を組み付ける際に便器本体２の縮径部２４ｅの寸法誤差を吸収することができる。
【００３２】
基部リング部３０ａの下流向き外周面３０ｅには、その円周上に所定間隔で設けられた複数の突起３０ｆが設けられている。この複数の突起３０ｆは、本実施形態においては、上面視で、外周面３０ｅにおいて、後述する２つの爪部３０ｇの両側の位置及び２つの爪部３０ｇを結ぶ線と直交する線上の位置に、複数の突起３０ｆが円中心に対して対称な位置となるように配置されているが、外周面３０ｅにおいて他の所定間隔等、例えば均等な所定間隔で配置されていてもよい。
【００３３】
この突起３０ｆの頂部には、絞り部材３０が取付けられた状態で、外側から内側に向けて下流方向に下り傾斜する（言い換えると、内側から外側に下り傾斜する）テーパー面３０ｈが形成され、このテーパー面３０ｈが便器本体２の縮径部２４ｅの上流側縁部２４ｆと当接するようになっている。テーパー面３０ｈは、上流側縁部２４ｆと当接する際に、内側向きの荷重を受けるように形成されている。
よって、絞り部材３０が水圧を受けて縮径部２４ｅに押し付けられるとき、複数の突起３０ｆのテーパー面３０ｈが、縮径部２４ｅの上流側縁部２４ｆに押し付けられ、絞り部材３０は、複数のテーパー面３０ｈから絞り部材３０の中心軸線Ａ１に向かう力を受ける。従って、絞り部材３０は、その中心軸線Ａ１と給水接続管２５の中心軸線Ａ２と、縮径部２４ｅの中心軸線Ａ３とが一致するような位置に確実に位置合わせ及び位置修正を行うことができる。
【００３４】
圧損リング部３０ｂは、外周の対向する２箇所の位置において、縮径部２４ｅの内径Ｄ１よりも外側方向に突出するフック形状の爪部３０ｇを備えている。この爪部３０ｇは、絞り部材３０が取付けられた状態で、縮径部２４ｅの下流側縁部２４ｇに掛かることができる。
この爪部３０ｇは、図４に示すように、絞り部材３０が水圧を受けて縮径部２４ｅに押し付けられるとき、縮径部２４ｅの下流側縁部２４ｇから離間された状態となる。この爪部３０ｇは、絞り部材３０が縮径部２４ｅに取付けられた状態で便器本体２を移動する場合に、絞り部材３０が縮径部２４ｅから外れて離脱又は脱落することを防ぐことができる。例えば、水洗大便器１の製造出荷時、輸送時、設置時等において、絞り部材３０を縮径部２４ｅに仮に又は正式に取付けた状態で、便器本体２を容易に移動することができる。また、便器本体２を移動しない場合でも、意図せずに絞り部材３０が縮径部２４ｅから外れて脱落することを防ぐことができる。
【００３５】
次に、主に図１乃至図４を参照して、上述した本発明の実施形態による水洗大便器の動作を説明する。
使用者が操作スイッチ８をＯＮ操作すると、貯水タンク６内の洗浄水が、貯水タンク６の出口６ａから給水接続管２５の出口部２５ａを通って便器本体２に向かって給水される。比較的高い位置に貯水タンク６が配置されているので、貯水タンク６から便器本体２までの落差（高低差）が比較的大きく、出口部２５ａから給水される洗浄水は、単位時間あたりの給水流量が比較的大きくなっている。この出口部２５ａから給水される洗浄水は、絞り部材３０に流入し、圧力損失を受けて、給水流量が減少される。
【００３６】
より詳細には、基部リング部３０ａの上流端３０ｃにおける流路断面形状と給水接続管２５の出口部２５ａにおける流路断面形状とがほぼ同一断面形状であるので、洗浄水は、縮径流路３１の上流端３０ｃに流入するときには、圧力損失を受けにくくなっている。洗浄水が縮径流路３１に流入した後、通水断面積が上流端３０ｃから下流端３０ｄに向かって徐々に減少するので、洗浄水が徐々に大きな圧力損失を受けて給水流量が低減される。また、絞り部材３０の縮径流路３１は、通水断面積が上流端３０ｃから下流端３０ｄに向かって徐々に減少するように形成されているので、洗浄水は、乱流の発生を抑制し、整流された状態を維持しながら給水流量を減少させることができる。このため、絞り部材により最大の圧力損失を調節し易くなっている。
【００３７】
このように、絞り部材３０から共通導水路２４ｂに流入する洗浄水は、意図した所定の給水流量の範囲に調節される。従って、この洗浄水が共通導水路２４ｂからリム導水路２４ｄに流れ、リム吐水口２６から吐水される場合に、リム吐水口２６から吐水された洗浄水がオーバーハング又は略鉛直形状のリム部１８を越えて溢れ出ることを抑制することができる。
便器洗浄のための適切な給水流量の洗浄水がリム吐水口２６からボウル部１２へ吐水される場合には、ボウル部１２内の旋回流が、リム部１８を越えて溢れ出ることなく汚物受け面１６を良好に洗浄することができる。
【００３８】
リム吐水口２６から吐水された洗浄水は、ボウル部１２内で旋回流を形成し、ボウル部１２の汚物受け面１６が洗浄される。また、同時に、洗浄水が共通導水路２４ｂからゼット導水路２４ｃに流入し、ゼット吐水口２８からボウル部１２の凹部２２に向けて洗浄水が下方に向けて噴出される。このゼット吐水口２８から噴出された洗浄水は、縦方向の旋回流を形成し、これにより、排水トラップ管路１４から、効果的に汚物を排出する。
【００３９】
以下、本発明の第１実施形態による水洗大便器１による作用を具体的に説明する。先ず、本実施形態による水洗大便器１においては、貯水タンク６の給水流量が大きいほど導水路２３の通水断面積が小さくなるように調節可能な絞り部材３０が導水路２３に設けられることにより、異なる給水流量を生じさせる貯水タンク６が便器本体２に取付けられた場合でも便器洗浄のための適切な給水流量の洗浄水をボウル部１２へ供給することができる。よって、ボウル部１２のリム部１８の内周面がオーバーハング形状又は略鉛直方向に立ち上がるように形成されている便器において、リム吐水口２８から吐水される洗浄水の給水流量が増大されることにより、リム部１８を旋回する洗浄水がリム部１８を越えて便器外に溢れ出すことを防止することができる。また、リム吐水口２８から吐水される洗浄水の給水流量が減少されることにより、リム部１８を旋回する洗浄水の勢いが弱くなり、ボウル部１２内を十分に洗浄できなくなることを防止することができる。
【００４０】
次に、本実施形態による水洗大便器１において、導水路２３の上流側において、縮径部２４ｅがゼット吐水口２８の通水断面積Ｃ２とリム吐水口２６の通水断面積Ｃ３との合計よりも小さい通水断面積Ｃ１を有するように形成されている。これにより、絞り部材３０を取り替えることにより、縮径部２４ｅの通水断面積Ｃ１を変更でき、導水路２３内を通過する洗浄水が受ける最大の圧力損失を絞り部材３０で調節することができ、便器洗浄のための適切な給水流量の洗浄水をボウル部１２へ供給することができる。
【００４１】
次に、本実施形態による水洗大便器１において、絞り部材３０が、通水断面積が上流端から下流端に向かって徐々に減少するように縮径され、絞り部材３０を通過する洗浄水に乱流が発生することが抑制できるため、絞り部材３０により洗浄水が受ける最大の圧力損失を調節し易くなる。また、絞り部材３０が、下流端３０ｄにおいて最小通水断面積を有しているので、下流端３０ｄを通過する洗浄水が受ける最大の圧力損失を絞り部材３０で調節することができ、異なる給水流量を生じる貯水タンク６が便器本体に取付けられた場合にも、便器洗浄のための適切な給水流量の洗浄水をボウル部１２へ供給することができる。
【００４２】
次に、本実施形態による水洗大便器１において、貯水タンク６から延びる給水接続管２５から絞り部材３０に流れ込む洗浄水の圧力損失を抑制することができ、絞り部材３０によって、圧力損失を調節し易くすることができ、異なる給水流量を生じる貯水タンク６が便器本体２に取付けられた場合にも、便器洗浄のための適切な給水流量の洗浄水をボウル部１２へ供給することができる。
【００４３】
次に、本実施形態による水洗大便器１において、便器本体２に製造誤差が生じた場合にも、絞り部材３０を便器本体２の縮径部２４ｅに容易に取り付けることができる。
【００４４】
次に、本実施形態による水洗大便器１において、絞り部材３０の外周面３０ｅにはテーパー面３０ｈが形成され、このテーパー面３０ｈが便器本体２の縮径部２４ｅの上流側縁部２４ｆと当接するので、絞り部材３０が水圧により縮径部２４ｅに押し付けられるときに、絞り部材３０の中心軸線Ａ１を縮径部２４ｅの中心軸線Ａ３に位置合わせさせることができ、絞り部材３０の中心の位置合わせが確実にできる。
【００４５】
次に、本実施形態による水洗大便器１において、絞り部材３０が縮径部２４ｅの下流側に掛かる爪部３０ｇを備えているので、便器に絞り部材３０を設置した状態で便器を移動させる場合、絞り部材３０が離脱することを防ぐことができる。
【００４６】
次に、図８乃至図１２を参照して、本発明の第２実施形態による水洗大便器１０１について説明する。本実施形態の水洗大便器１０１は、貯水タンク及び絞り部材が上述した第１実施形態とは異なる。ここでは、本発明の第２実施形態の第１実施形態とは異なる点のみを説明し、同様な部分については図面に同じ参照符号を付して説明を省略する。上述した第１実施形態においては、いわゆるＨＩＧＨタイプの貯水タンク６が便器本体２に取付けられ、絞り部材３０が導水路２３に取付けられていた。本実施形態においては、いわゆるＭＩＤＤＬＥタイプの貯水タンク１０６が便器本体１０２に取付けられ、絞り部材１３０が導水路１２３に取付けられている。
【００４７】
図８は、本発明の第２実施形態による水洗大便器に取付けられるＭＩＤＤＬＥタイプの貯水タンクが壁面の裏側に設置されている状態を示す概略図であり、図９は、本発明の第２実施形態による水洗大便器において、導水路の一部分を示すＢ部分を拡大した部分拡大断面図であり、図１０は本発明の第２実施形態による水洗大便器の絞り部材を斜め上方から見た斜視図であり、図１１は本発明の第２実施形態による水洗大便器の絞り部材の平面図であり、図１２は図１１のXII−XII線に沿って見た絞り部材の側面断面図である。
【００４８】
図８及び図９に示すように、水洗大便器１０１は、便器本体１０２を備え、この便器本体１０２は、壁４に取り付けられている。壁４の裏側には、いわゆるＨＩＧＨタイプの貯水タンクの設置位置よりも低く且ついわゆるＬＯＷタイプの貯水タンクの設置位置よりも高い位置（例えば床からの貯水タンクの頂部までの高さが約９８０ｍｍの高さになるような位置）に洗浄水を貯水する貯水タンク（いわゆるＭＩＤＤＬＥタイプの貯水タンク）１０６が取り付けられている。
このようないわゆるＭＩＤＤＬＥタイプの貯水タンク１０６を便器本体１０２に取り付ける場合、ＭＩＤＤＬＥタイプの貯水タンク１０６と便器本体１０２との落差（高低差）は、ＨＩＧＨタイプの貯水タンクの落差より小さく且つＬＯＷタイプの貯水タンクの落差より大きい中程度であるために、便器本体１０２に給水される単位時間辺りの給水流量が、ＨＩＧＨタイプの貯水タンクからの給水流量より小さく且つＬＯＷタイプの貯水タンクからの給水流量より大きくなっている。
また、貯水タンク１０６の出口１０６ａから便器本体１０２内の入口部２４ａまで延びる給水接続管１２５と接続し、便器本体２内に延びる導水路１２３が形成されている。導水路１２３は、便器本体１０２内の後部に延びる便器本体導水路２４を備えている。給水接続管１２５は、貯水タンク１０６の出口１０６ａから鉛直方向に下方へと延びる上流側給水接続管１２５ｂと、上流側給水接続管１２５ｂの出口１２５ｃから便器本体１０２内の入口部２４ａまで延びる下流側給水接続管１２５ｄとを備えている。第２実施形態による水洗大便器１０１の上流側給水接続管１２５ｂの長さは、第１実施形態による水洗大便器１の上流側給水接続管２５ｂの長さよりも短く形成されている。従って、貯水タンク１０６から便器本体１０２までの水流の落差は、第１実施形態における貯水タンク６から便器本体２までの水流の落差よりも低く設定されている。
【００４９】
次に、図９乃至図１２により、本発明の第２実施形態による水洗大便器１０１において、ＭＩＤＤＬＥタイプの貯水タンク１０６が便器本体１０２に取付けられる場合において、導水路１２３に取付けられる絞り部材１３０について、第１実施形態における絞り部材とは異なる点のみ説明する。
【００５０】
絞り部材１３０は、貯水タンク１０６の設置環境により異なる給水流量を便器洗浄に適したほぼ一定の給水流量に調節することができる部材である。この絞り部材１３０は、自身の上流側において環状に形成されている基部リング部３０ａと、基部リング部３０ａから下流側に延びる圧損リング部１３０ｂとを備えている。
【００５１】
圧損リング部１３０ｂは、円筒形状の流路を形成し、自身の内径が便器前方に向かって徐々に減少されるように絞られている。従って、圧損リング部１３０ｂは、自身の内部を通過する流体が圧力損失を生じるように形成されている。圧損リング部１３０ｂは、爪部３０ｇの長さＬ２より短い圧損リング部１３０ｂの長さＬ３に形成されている。例えば長さＬ３は約１０ｍｍに形成される。本発明の第２実施形態における圧損リング部１３０ｂにおける下流端１３０ｄは、本発明の第１実施形態における下流端３０ｄの流路の内径Ｄ５よりも大きな流路の内径Ｄ６を有し、比較的中径に形成されている。例えば内径Ｄ６は直径約３４ｍｍに形成される。
基部リング部３０ａ及び圧損リング部１３０ｂは、その内側に、洗浄水の流れ方向に所定距離の長さＬ４にわたって延びる縮径流路１３１を形成し、基部リング部３０ａがこの縮径流路１３１の上流端３０ｃを形成し、圧損リング部１３０ｂがこの縮径流路１３１の下流端１３０ｄを形成している。従って、本発明の第２実施形態における絞り部材１３０の縮径流路１３１は、本発明の第１実施形態における絞り部材３０の縮径流路３１よりも短く形成されている。
さらに、図９及び図１２において、基部リング部３０ａの上流端３０ｃの通水断面積Ｃ４は、圧損リング部１３０ｂの下流端１３０ｄの通水断面積Ｃ７よりも大きく形成され、本発明の第１実施形態における絞り部材３０の圧損リング部３０ｂの下流端３０ｄの通水断面積Ｃ５よりも大きく形成されている。
従って、本発明の第２実施形態における絞り部材１３０において圧損リング部１３０ｂの内部を通過する流体が受ける圧力損失は、本発明の第１実施形態における絞り部材３０の圧損リング部３０ｂの内部を通過する流体が受ける圧力損失よりも小さくなっている。
【００５２】
次に、本発明の第２実施形態による水洗大便器１０１の作用を第１実施形態とは異なる点のみ説明する。
使用者が操作スイッチ８をＯＮ操作すると、貯水タンク１０６内の洗浄水が、貯水タンク１０６の出口１０６ａから給水接続管１２５の出口部１２５ａを通って便器本体１０２に向かって給水される。いわゆるＨＩＧＨタイプの貯水タンク６の位置より低い位置に貯水タンク１０６が配置されているので、貯水タンク１０６から便器本体１０２までの落差（高低差）がＨＩＧＨタイプのものより小さく、出口部１２５ａから給水される洗浄水の単位時間あたりの給水流量も、ＨＩＧＨタイプのものより小さくなっている。この出口部１２５ａから給水される洗浄水は、絞り部材１３０に流入し、圧力損失を受けて、給水流量が減少される。
洗浄水が縮径流路１３１に流入した後、通水断面積が上流端から下流端に向かって徐々に減少するので、洗浄水が徐々に大きな圧力損失を受けて給水流量が低減される。本発明の第２実施形態における絞り部材１３０は、本発明の第１実施形態における絞り部材３０の縮径流路３１よりも短い縮径流路１３１に形成され、且つ本発明の第１実施形態における絞り部材３０の圧損リング部３０ｂの下流端３０ｄの通水断面積Ｃ５よりも大きい圧損リング部１３０ｂの下流端１３０ｄの通水断面積Ｃ７を有している。従って、絞り部材１３０から共通導水路２４ｂに流入する洗浄水は、ＭＩＤＤＬＥタイプの貯水タンク１０６に応じた比較的小さい給水流量から、本発明の第１実施形態における水洗大便器１の便器洗浄に適した給水流量と同じ便器洗浄に適した所定の給水流量に調節される。
従って、この洗浄水が共通導水路２４ｂからリム導水路２４ｄに流れ、リム吐水口２６から吐水される場合に、リム吐水口２６から吐水された洗浄水がオーバーハング又は略鉛直形状のリム部１８を越えて溢れ出ることを抑制することができる。
また、便器洗浄のための適切な給水流量の洗浄水がリム吐水口２８からボウル部１２へ吐水される場合には、ボウル部１２内の旋回流が、リム部１８を越えて溢れ出ることなく且つ汚物受け面１６を良好に洗浄することができる。
【００５３】
このように構成された本発明の第２実施形態による水洗大便器１０１においては、貯水タンク１０６の給水流量が大きいほど導水路１２３の通水断面積が小さくなるように調節可能な絞り部材１３０が導水路１２３に設けられることにより、ＨＩＧＨタイプの貯水タンク６の給水流量よりも少ない給水流量を生じさせるＭＩＤＤＬＥタイプの貯水タンク１０６が便器本体１０２に取付けられた場合でも、ＭＩＤＤＬＥタイプの貯水タンク１０６に応じて導水路１２３内の通水断面積を小さくできる絞り部材１３０を有することにより、便器洗浄のための適切な給水流量の洗浄水をボウル部１２へ供給することができる。よって、ボウル部１２のリム部１８の内周面がオーバーハング形状又は略鉛直方向に立ち上がるように形成されている便器において、リム吐水口２６から吐水される洗浄水の給水流量が増大されることにより、リム部１８を旋回する洗浄水がリム部１８を越えて便器外に溢れ出すことを防止することができる。また、リム吐水口２６から吐水される洗浄水の給水流量が減少されることにより、リム部１８を旋回する洗浄水の勢いが弱くなり、ボウル部１２内を十分に洗浄できなくなることを防止することができる。
【００５４】
次に、図１３を参照して、本発明の第３実施形態による水洗大便器２０１について説明する。本実施形態の水洗大便器２０１は、貯水タンク及び絞り部材が上述した第１実施形態とは異なる。ここでは、本発明の第３実施形態の第１実施形態とは異なる点のみを説明し、同様な部分については図面に同じ参照符号を付して説明を省略する。上述した第１実施形態においては、いわゆるＨＩＧＨタイプの貯水タンク６が便器本体２に取付けられ、絞り部材３０が導水路２３に取付けられていた。本実施形態においては、いわゆるＬＯＷタイプの貯水タンク２０６が便器本体２０２に取付けられ、絞り部材３０が便器本体２０２の導水路２２３から取り外されて省略されている。
【００５５】
図１３は、本発明の第３実施形態による水洗大便器に取付けられるＬＯＷタイプの貯水タンクが壁面の裏側に設置されている状態を示す概略図である。
図１３に示すように、水洗大便器２０１は、便器本体２０２を備え、この便器本体２０２は、壁４に取り付けられている。壁４の裏側には、比較的低い高さ位置（例えば床からの貯水タンクの頂部までの高さが約８２０ｍｍの高さになるような位置）に配置される貯水タンク（いわゆるＬＯＷタイプの貯水タンク）２０６が取り付けられている。
このようないわゆるＬＯＷタイプの貯水タンク２０６を便器本体２０２に取り付ける場合、ＬＯＷタイプの貯水タンク２０６と便器本体２０２との落差（高低差）は、ＭＩＤＤＬＥタイプの貯水タンクと便器本体との落差よりも小さくなり、比較的小さい落差とされるために、便器本体２０２に給水される単位時間辺りの給水流量は、ＨＩＧＨタイプの貯水タンク及びＭＩＤＤＬＥタイプの貯水タンクからの給水流量よりさらに小さくなっている。
例えば、ＬＯＷタイプの貯水タンク２０６を便器本体２０２に取り付ける場合、貯水タンク２０６からの給水流量が比較的小さくなるので、仮に絞り部材３０を取付けたままとすると、絞り部材３０を通過した後の給水流量が便器洗浄に必要な洗浄水量からさらに不足してしまう。このようにＬＯＷタイプの貯水タンク２０６は、仮に絞り部材３０を取付けたままとすると便器洗浄を十分に行うことができる所定量の給水流量よりも小さな給水流量を生じさせる高さに配置されている。
また、貯水タンク２０６の出口２０６ａから便器本体２０２内の入口部２４ａまで延びる給水接続管２２５と接続し、便器本体２０２内に延びる導水路２２３が形成されている。導水路２２３は、便器本体２０２内の後部に延びる便器本体導水路２４を備えている。給水接続管２２５は、貯水タンク２０６の出口２０６ａから鉛直方向に下方へと延びる上流側給水接続管２２５ｂと、上流側給水接続管２２５ｂの出口２２５ｃから便器本体１０２内の入口部２４ａまで延びる下流側給水接続管２２５ｄとを備えている。第３実施形態による水洗大便器２０１の上流側給水接続管２２５ｂの長さは、第２実施形態による水洗大便器１０１の上流側給水接続管１２５ｂの長さよりもさらに短く形成されている。従って、貯水タンク２０６から便器本体２０２までの水流の落差は、第２実施形態における貯水タンク１０６から便器本体１０２までの水流の落差よりも低く設定されている。
【００５６】
次に、図１３により、本発明の第３実施形態による水洗大便器２０１において、ＬＯＷタイプの貯水タンク２０６が便器本体２０２に取付けられる場合において、絞り部材３０が導水路２２３から取り外されて省略されている点で、第１実施形態とは異なる点を説明する。
【００５７】
図１３に示すように、本発明の第３実施形態による水洗大便器２０１において、絞り部材３０は、導水路２２３から取り外されて、省略されており、便器本体２０２の入口部の２４aが給水接続管２５の出口部２５ａと接続されている。このように絞り部材３０が取付けられていない状態においては、縮径部２４ｅが、便器本体導水路２４の入口部２４ａにおける流水経路２３１を形成するようになっている。
縮径部２４ｅの内径Ｄ１（φ４５±２）は、給水接続管２２５の出口部２２５ａの内径Ｄ４（φ４１）とほぼ同じ大きさに形成されている。従って、洗浄水が、給水接続管２２５の出口部２２５ａから縮径部２４ｅ内に流入するときに圧力損失を受けない。
従って、本発明の第３実施形態による水洗大便器２０１において縮径部２４ｅの内部を通過する流体が受ける圧力損失は、本発明の第２実施形態における絞り部材１３０の圧損リング部１３０ｂの内部を通過する流体が受ける圧力損失よりも小さくなっている。
【００５８】
次に、本発明の第３実施形態による水洗大便器２０１の作用を第１実施形態とは異なる点のみ説明する。
使用者が操作スイッチ８をＯＮ操作すると、貯水タンク２０６内の洗浄水が、貯水タンク２０６の出口２０６ａから給水接続管２２５の出口部２２５ａを通って便器本体２０２に向かって給水される。比較的低い位置に貯水タンク２０６が配置されているので、貯水タンク２０６から便器本体２０２までの落差（高低差）が比較的小さく、出口部２２５ａから給水される洗浄水の単位時間あたりの給水流量も、ＭＩＤＤＬＥタイプのものよりさらに小さくなっている。この出口部２２５ａから給水される洗浄水は、縮径部２４ｅに直接流入する。従って、縮径部２４ｅから共通導水路２４ｂに流入する洗浄水は、比較的小さい給水流量から、本発明の第１実施形態における水洗大便器１の便器洗浄に適した給水流量と同じ便器洗浄に適した所定の給水流量に調節される。このように、絞り部材３０を取り外すことにより、導水路２２３において圧力損失を抑制させることができる。
従って、この洗浄水が共通導水路２４ｂからリム導水路２４ｄに流れ、リム吐水口２６から吐水される場合に、リム吐水口２６から吐水された洗浄水が、給水流量が不足して、汚物受け面１６を良好に洗浄できなくなることを抑制することができる。
また、便器洗浄のための適切な給水流量の洗浄水がリム吐水口２８からボウル部１２へ吐水されるので、ボウル部１２内の旋回流が、リム部１８を越えて溢れ出ることなく且つ汚物受け面１６を良好に洗浄することができる。
【００５９】
このように構成された本発明の第３実施形態による水洗大便器２０１においては、導水路２２３に、貯水タンク２０６の給水流量が大きいほど導水路２２３の通水断面積が小さくなるように調節可能な絞り部材が設けられている場合に、この絞り部材は、貯水タンク２０６の給水流量が所定値よりも小さい場合には、取り外すことができることにより、比較的小さい給水流量を生じさせるＬＯＷタイプの貯水タンク２０６が取付けられた場合でも便器洗浄のための適切な給水流量の洗浄水をボウル部１２へ供給することができる。よって、ボウル部１２のリム部１８の内周面がオーバーハング形状又は略鉛直方向に立ち上がるように形成されている便器において、リム吐水口２６から吐水される洗浄水の給水流量が減少されることにより、リム部１８を旋回する洗浄水の勢いが弱くなり、ボウル部１２内を十分に洗浄できなくなることを防止することができる。
【符号の説明】
【００６０】
１、１０１、２０１          水洗大便器
２、１０２、２０２          便器本体
６、１０６、２０６          貯水タンク
６ｂ          出口部
１２          ボウル部
１４          排水トラップ管路
１６          汚物受け面
１８          リム部
２３          導水路
２４          便器本体導水路
２４ａ        入口部
２４ｂ        共通導水路
２４ｃ        ゼット導水路
２４ｄ        リム導水路
２４ｅ        縮径部
２５、１２５、２２５        給水接続管
２６          リム吐水口
２８          ゼット吐水口
３０、１３０  絞り部材
３０ａ          基部リング部
３０ｂ、１３０ｂ            圧損リング部
３０ｃ        上流端
３０ｄ        下流端
３０ｅ        外周面
３０ｆ        突起
３０ｇ        爪部
３０ｈ        テーパー面
３０ｉ        外側向き外周面
Ｇ            隙間
Ｌ            溜水水位
Ｗ０          溜水面
【図１】
2015113633.tif 000003
【図２】
2015113633.tif 000004
【図３】
2015113633.tif 000005
【図４】
2015113633.tif 000006
【図５】
2015113633.tif 000007
【図６】
2015113633.tif 000008
【図７】
2015113633.tif 000009
【図８】
2015113633.tif 000010
【図９】
2015113633.tif 000011
【図１０】
2015113633.tif 000012
【図１１】
2015113633.tif 000013
【図１２】
2015113633.tif 000014
【図１３】
2015113633.tif 000015